(57)【要約】【課題】コンパクト容器に於いて、蓋体の容器本体に対する閉鎖性を向上させると共に小さい力で開放させ、且つ蓋体を開放したときに該開放位置を保持するフリーストップ性を発揮させる。【解決手段】蓋体１０と容器本体２０をヒンジ部３０を介して回動可能に接続してコンパクト容器Ａを構成する。ヒンジＢは、回動軸に一致して設けたスプリングピン２１を有する第１回動部２０と、蓋体に固定された軸受部材３１と、容器本体に固定され傾斜面からなる係合凹部を有する回動部材３２ｂと、係合凹部に係合する係合凸部を有する係合部材３２ｃと、係合部材を付勢する付勢部材３２ｄとを有する回動軸部材３２とを有する第２回動部３０とによって構成される。【選択図】  図１
2006081576.tif 000002
【特許請求の範囲】
【請求項１】
蓋体と容器本体を同一回動軸上に配置された一対の回動部を有するヒンジ部を介して回動可能に接続したコンパクト容器であって、ヒンジ部を構成する一方の回動部は回動軸に一致して設けたスプリングピンによって容器本体と蓋体を接続して構成され、他方の回動部は、蓋体の一方の端部側に固定された軸受部材と、容器本体の一方の端部側に固定され前記軸受部材に嵌合する回動部材を回動可能に軸支する回動軸部材と、によって構成され、且つ前記回動軸部材は、傾斜面からなる係合凹部／凸部を有する前記回動部材と、傾斜面からなり前記回動部材の前記係合凹部／凸部に係合する係合凸部／凹部を有する係合部材と、該係合部材を前記回動部材に向けて付勢する付勢部材とを有して構成され、蓋体が容器本体に対して閉まった状態において、前記回動部材の係合凹部／凸部と前記係合部材の係合凸部／凹部とが傾斜面の途中で留まることで前記蓋体が前記容器本体に対して閉まる方向に付勢されて閉まった状態を保持し得るように構成したことを特徴とするコンパクト容器。
【発明の詳細な説明】
【技術分野】
【０００１】
本発明は、化粧料を収納するコンパクト容器に関し、特に、蓋体を容器本体に対して閉鎖したとき、蓋体を容器本体の方向に付勢することで閉鎖状態を保持し得るようにしたコンパクト容器に関するものである。
【背景技術】
【０００２】
化粧料を収納したコンパクト容器は、ハンドバッグに入れて持ち運ぶのに便利であり広く使用されている。このコンパクト容器は、化粧料を入れる容器本体と、容器本体に重なるように形成された蓋体と、からなり、容器本体と蓋体は、互いに一方側の端部に形成されたヒンジ部を介して回動可能に構成されると共に、他方側の端部に形成された一対のフック機構を介して閉鎖状態を維持し得るように構成されている。従って、使用時には蓋体をヒンジ部を中心に回動させることで容器本体に対して開放させ、非使用時には蓋体を容器本体に対して閉鎖し、且つフック機構を利用して閉鎖状態を保持している。
【０００３】
特に、コンパクト容器は、金属製のストレートピンやロールピンを蓋体と容器本体に貫通させてヒンジ部を構成するのが一般的であり、これらのピンと蓋体，容器本体との接触摩擦によって蓋体を開放したときの容器本体に対して所望の位置で停止するフリーストップを実現している。また蓋体，容器本体の何れかに、軸状部材と、該軸状部材を回動可能に受け入れる軸受部と、を形成したコンパクト容器も提案されている（例えば特許文献１参照）。
【０００４】
上記の如く、コンパクト容器ではヒンジ部は単なる軸状の部材と該部材を受け入れる軸受状の部材によって構成されており、蓋体の容器本体に対する回動は該コンパクト容器を利用する人による回動力の付与によって行われ、蓋体を容器本体に対して閉鎖したときの閉鎖状態の維持はフック機構の係止によって行われる。
【０００５】
【特許文献１】特開２００３−１８０４４２
【発明の開示】
【発明が解決しようとする課題】
【０００６】
上記の如きコンパクト容器のフック機構では、フックの機械的な係合によって蓋体の容器本体に対する閉鎖状態を保持するため、閉鎖しているコンパクト容器を開放する際にフックの係合を解除する必要があり比較的に強い力を要する。このため、確実な閉鎖状態を保持することが出来、且つ小さい力で開放することが出来るコンパクト容器が要求されている。
【０００７】
本発明の目的は、蓋体の容器本体に対する閉鎖性を向上させると共に小さい力で開放することが出来、且つ蓋体を開放したときに該開放位置を保持するフリーストップ性を有するコンパクト容器を提供することにある。
【課題を解決するための手段】
【０００８】
上記課題を解決するために本発明に係るコンパクト容器は、蓋体と容器本体を同一回動軸上に配置された一対の回動部を有するヒンジ部を介して回動可能に接続したコンパクト容器であって、ヒンジ部を構成する一方の回動部は回動軸に一致して設けたスプリングピンによって容器本体と蓋体を接続して構成され、他方の回動部は、蓋体の一方の端部側に固定された軸受部材と、容器本体の一方の端部側に固定され前記軸受部材に嵌合する回動部材を回動可能に軸支する回動軸部材と、によって構成され、且つ前記回動軸部材は、傾斜面からなる係合凹部／凸部を有する前記回動部材と、傾斜面からなり前記回動部材の前記係合凹部／凸部に係合する係合凸部／凹部を有する係合部材と、該係合部材を前記回動部材に向けて付勢する付勢部材とを有して構成され、蓋体が容器本体に対して閉まった状態において、前記回動部材の係合凹部／凸部と前記係合部材の係合凸部／凹部とが傾斜面の途中で留まることで前記蓋体が前記容器本体に対して閉まる方向に付勢されて閉まった状態を保持し得るように構成したものである。
【発明の効果】
【０００９】
上記コンパクト容器では、ヒンジ部を構成する一方の回転部がスプリングピンによって容器本体と蓋体を接続して構成されているため、容器本体及び蓋体にはスプリングピンによる付勢力が作用する。このため、蓋体を容器本体に対して適度な角度に回動させたとき、この回動に伴って容器本体，蓋体に摩擦抵抗が作用する。この摩擦抵抗は蓋体が自由に回動し得る力よりは充分に大きいため、蓋体は回動位置を保持することが出来る。即ち、フリーストップ性を発揮することが出来る。
【００１０】
また蓋体を閉鎖したとき、ヒンジ部を構成する他方の回転部の付勢部材と係合部材との機能によって蓋体が容器本体側に付勢されることで、蓋体と容器本体との閉鎖性を向上させることが出来る。また蓋体を開放する際には、蓋体に対し、蓋体に作用する付勢部材と係合部材とによる付勢力よりも大きい力を付与すれば良い。この力は従来のコンパクト容器に於けるフックの係合を解除するのに必要な力よりも小さくすることが可能であり、従って、より小さい力で開放することが出来る。
【発明を実施するための最良の形態】
【００１１】
以下、本発明に係るコンパクト容器の好ましい形態について説明する。本発明のコンパクト容器は、蓋体を容器本体に対して閉鎖（コンパクト容器を閉鎖）したとき、ヒンジ部で発生する蓋体が容器本体に対して閉まる方向への付勢力を作用させることで、コンパクト容器の確実な閉鎖を実現すると共に、蓋体を容器本体に対して開放（コンパクト容器を開放）する際に該蓋体を小さい力で回動させることを実現し、且つ蓋体を容器本体に対して開閉方向に回動させるのに伴って摩擦抵抗を発生させることで、蓋体の容器本体に対する自由な回動を阻止して蓋体の容器本体に対する回動位置を保持するフリーストップを実現したものである。
【００１２】
蓋体と容器本体は一方の端部側に設けられ且つ同一回動軸上に一対の回動部を設けたヒンジ部を介して回動可能に接続されている。ヒンジに設けられた一方の回動部はスプリングピンを有して構成されており、該スプリングピンによる付勢力によって摩擦抵抗を発生させることで、蓋体を容器本体に対して自由な回動角度で停止させるフリーストップを実現している。
【００１３】
またヒンジに設けられた他方の回動部は、蓋体に固定された軸受部材と容器本体に固定され前記軸受部材に嵌合する回動部材を回動可能に軸支する回動軸部材とを有して構成されており、蓋体を容器本体に閉鎖したとき、該蓋体が容器本体に対して閉まる方向の付勢力を発生させて閉鎖状態を保持し得るように構成されている。
【００１４】
上記の如く構成されたコンパクト容器では、蓋体を容器本体に対して閉鎖したとき、ヒンジ部から発生する蓋体を閉める方向に回動させる力によって確実な閉鎖状態を確保することが可能である。そして蓋体を開放する際には、従来のフック機構を利用したコンパクト容器を開放する際の力と比較して小さい力で開放することが可能となる。更に、蓋体を容器本体に対して開放方向に回動させて停止させたとき、蓋体には摩擦抵抗が作用しており、この摩擦抵抗によって蓋体は現位置に停止する。
【実施例１】
【００１５】
次に、本発明に係るコンパクト容器の好ましい実施例について図を用いて説明する。図１はコンパクト容器の全体構成を説明する組立図である。図２はコンパクト容器のヒンジに設けた一方の回動部の構成を説明する展開図である。図３はコンパクト容器のヒンジに設けた他方の回動部の構成を説明する一部の展開図である。図４は他方の回動部の構成を説明する展開図である。図５は他方の回動部の動作を説明する図である。図６は他方の回動部の他の動作状態を説明する図である。
【００１６】
図に於いて、本実施例に係るコンパクト容器Ａは、内部に鏡１１を取り付けた蓋体１０と、化粧料を収納した中皿（図示せず）を収容する凹部１２ａを形成した容器本体１２と、を有して構成されている。蓋体１０と容器本体１２は、互いの一方の端部側（後方側）に配置したヒンジＢを介して回動可能に接続されており、容器本体１２の他方の端部側（前方側）に蓋体１０を開放する際に指を差し込む凹部１２ｂが形成されている。
【００１７】
蓋体１０の後方側の端部には、ヒンジＢに設けた一方の回動部（第１回動部２０）を構成するスプリングピン２１、及び他方の回動部（第２回動部３０）を構成する軸受部材３１を回動不能に嵌合する一対のブラケット１０ａが形成されている。また容器本体１２の後方側の端部であって、蓋体１０を重ねて閉鎖状態としたときに該蓋体１０に形成されたブラケット１０ａと対応する位置に、第１回動部２０を構成するスプリングピン２１及び第２回動部３０を構成する回動軸部材３２を回動不能に収容する収容突起１２ｃが形成されている。
【００１８】
蓋体１０のブラケット１０ａ，容器本体１２の収容突起１２ｃの寸法や形状は特に限定するものではない。本実施例では、蓋体１０のブラケット１０ａを該蓋体１０の幅方向の両端部に一対形成し、容器本体１２の収容突起１２ｃは一対のブラケット１０ａの間に収容し得るように形成している。しかし、収容突起１２ｃを幅方向の両端部に一対形成すると共にブラケット１０ａを一対の収容突起１２ｃの間に収容し得るように形成しても良い。即ち、前記ブラケット１０ａ，収容突起１２ｃを如何なる形状と寸法で形成するかは、コンパクト容器Ａの意匠性に関連して適宜設定することが好ましい。
【００１９】
第１回動部２０は、蓋体１０に形成された一対のブラケット１０ａの一方側（本実施例では前方に向かって右側）のブラケット１０ａに設けられている。この第１回動部２０は蓋体１０の回動軸と一致して配置され容器本体１２に形成された収容突起１２ｃに起立させたスプリングピン２１と、第２回動部３０の軸受部材３１と同様の形状に形成された軸受部材２２とを有して構成されている。
【００２０】
スプリングピン２１は断面がＣ型に形成されており、自由状態に於ける外径が呼び径よりも大きくなるように形成されている。このため、容器本体１２の収容突起１２ｃ，軸受部材２２にスプリングピン２１の呼び径と等しい径を持った穴を形成し、この穴にスプリングピン２１を嵌合させることで、該穴（容器本体１２，蓋体１０）に対して径を拡大する方向の力を作用させることが可能である。
【００２１】
軸受部材２２は、円形の頭部２２ａと、断面が多角形の伝達部２２ｂとを有して構成されており、伝達部２２ｂにスプリングピン２１が嵌合している。蓋体１０のブラケット１０ａにも軸受部材２２の伝達部２２ｂと嵌合し得るように、該伝達部２２ｂの断面形状と等しい形状を持った穴１０ｂが形成されている。従って、蓋体１０を開閉する際の力は、ブラケット１０ａから軸受部材２２に伝達され、スプリングピン２１を中心として回動することが可能である。
【００２２】
容器本体１２，軸受部材２２に形成した穴にスプリングピン２１を嵌合したとき、容器本体１２とスプリングピン２１、蓋体１０とスプリングピン２１との間には回動に伴って摩擦抵抗が作用することとなる。この摩擦抵抗は、蓋体１０と容器本体１２との間に回動が生じないときには、蓋体１０に作用する力に対する抵抗となり、蓋体１０は前記抵抗よりも大きい力が作用したときに回動を開始する。
【００２３】
例えば蓋体１０を開放した後、所定の開放位置で止めたとき、蓋体１０，容器本体１２にスプリングピン２１による力が作用することによって、蓋体１０は開放位置を保持することが可能となる。
【００２４】
第２回動部３０は、蓋体１０に形成されたブラケット１０ａの他方側（前方に向かって左側）に設けられている。この第２回動部３０は、ブラケット１０ａに回動不能に嵌合されると共に固定される軸受部材３１と、容器本体１２に形成された収容突起１２ｃに回動不能に嵌合させると共に固定される回動軸部材３２とを有して構成されている。軸受部材３１がブラケット１０ａに、回動軸部材３２が収容突起１２ｃ対して夫々回動不能に嵌合されると共に固定される構造は特に限定するものではなく、例えば接着であっても良い。
【００２５】
本実施例では、軸受部材３１の主要部の外形、及び回動軸部材３２の外形を多角形とし、蓋体１０のブラケット１０ａ及び容器本体１２の収容突起１２ｃに夫々対応する多角形の穴１０ｂ，１２ｄを形成しておくことで、これらの穴１０ｂ，１２ｄに軸受部材３１，回動軸部材３２を嵌合したとき回動不能に構成している。また各穴１０ｂ，１２ｄと、軸受部材３１，回動軸部材３２の嵌め合い公差を止まり嵌め或いは締まり嵌めとすることで、抜けを防止して固定し得るように構成している。
【００２６】
軸受部材３１は、内部に回動軸部材３２を嵌合するための嵌合凹部３１ａが形成され、該嵌合凹部３１ａが形成された部分の外形が四角形に形成されている。嵌合凹部３１ａは。回動軸部材３２を構成する回動部材３２ｂの嵌合凸部３２ｂ１を嵌合して蓋体１０に作用する力を回動軸部材３２に伝達する機能を有するものであり、前記力を確実に伝達し得るように断面が四角形の穴として形成されている。
【００２７】
軸受部材３１の外形形状は全長にわたって四角形であって良いが、本実施例では、意匠性を向上させるために、嵌合凹部３１ａを形成した端部とは反対側の端部は円形に形成されている。
【００２８】
回動軸部材３２は、軸受部材３１に近い方から、カバー部材３２ａと、カバー部材３２ａに回動可能に支持される回動部材３２ｂと、カバー部材の内部側面に沿って摺動可能に配置され回動部材３２ｂの回動角度に応じて該回動部材３２ｂと係合する係止部材３２ｃと、係止部材３２ｃを回動部材３２ｂ方向に付勢する付勢部材３２ｄと、付勢部材３２ｄと当接すると共にカバー部材３２ａに係止されるカバー底部材３２ｅと、の５つの部材を一体的に組立てて構成されている。
【００２９】
カバー部材３２ａは回動軸部材３２の外装を構成するもので、外形及び内形が四角形に形成されており、且つ軸受部材３１側の端部には円形の穴３２ａ１が形成され、カバー側面には少なくとも一つの係止穴３２ａ２が形成されている。また、カバー部材３２ａの内側の面は、回動部材３２ｂが回動する際のガイドとして、また係止部材３２ｃが軸方向に摺動する際のガイドとして機能する。
【００３０】
回動部材３２ｂは、カバー部材３２ａの穴３２ａ１から突出し軸受部材３１の嵌合凹部３１ａに嵌合する四角形状の嵌合凸部３２ｂ１と、カバー部材３２ａの穴３２ａ１とほぼ同径の円筒部３２ｂ３と、係止部材３２ｃに係合する係合凹部３２ｂ２とが形成されている。ここで、係合凹部３２ｂ２は奥に行くほど狭くなるような傾斜面が形成されるテーパ形状となっている。
【００３１】
係止部材３２ｃは断面がカバー部材３２ａの内形と略等しい四角形に形成され、且つ端面に基部の幅が広く先端に行くほど狭くなるような傾斜面であって、傾斜角度が回動部材３２ｂの係合凹部３２ｂ２の傾斜角度と対応するテーパ形状の係合凸部３２ｃ１が形成され、付勢部材３２ｄの作用により軸方向で回動部材３２ｂ側に付勢される。従って、係止部材３２ｃはカバー部材３２ａに対し、回動不能に且つ軸方向への摺動可能に収容される。
【００３２】
このため、係止部材３２ｃの係合凸部３２ｃ１が回動部材３２ｂの係合凹部３２ｂ２に係合したとき、回動部材３２ｂの回動を停止させることができる。また、回動部材３２ｂに力を付与して回動させると、係合凸部３２ｃ１が係合凹部３２ｂ２の傾斜面に沿って移動し、これにより、付勢部材３２ｄの付勢力に抗して係止部材３２ｃが回動部材３２ｂから離隔する方向へ移動し、係合凸部３２ｃ１が係合凹部３２ｂ２から離脱する。
【００３３】
尚、上述した係合凹部３２ｂ２及び係合凸部３２ｃ１は、互いに係合する形状であればよいため、片方の係合凹部３２ｂ２を凸部とし、他方の係合凸部３２ｃ１を凹部としてもよい。また係合凹部３２ｂ２，係合凸部３２ｃ１の傾斜角度は特に限定するものではない。しかし付勢部材３２ｄの付勢力の傾斜面による分力が、蓋体１０を容器本体１２に対し閉鎖したときに該蓋体１０が容器本体１２側に閉める方向に作用し得るような値となる角度であることが好ましい。
【００３４】
カバー底部材３２ｅは、付勢部材３２ｄを支持するために該付勢部材３２ｄの外形と同様の形状の穴が形成されている。これが付勢部材支持部３２ｅ１である。また、カバー底部材３２ｅの側面にはカバー部材３２ａの穴３２ａ１に係止するための係止突起３２ｅ２が形成されている。このため、カバー部材３２ａをカバー底部材３２ｅにかぶせて、カバー底部材３２ｅの係止突起３２ｅ２をカバー部材３２ａの係止穴３２ａ２に係止させることで、回動軸部材３２が一体的な構成となる。
【００３５】
本発明では、蓋体１０が容器本体１２に対して閉鎖されたとき、第２回動部３０によって蓋体１０は容器本体１２に対して付勢される。即ち、蓋体１０が容器本体１２に当接して回動限に達したとき、係止部材３２ｃの係合凸部３２ｃ１と回動部材３２ｂの係合凹部３２ｂ２とが互いの接触状態を保持し、且つ前記接触状態を保持することによって係止部材３２ｃを介して伝達される付勢部材３２ｄの付勢力の分力が回動部材３２ｂを蓋体１０が閉鎖する方向に作用する。
【００３６】
このため、蓋体１０に配置される軸受部材３１と容器本体１２に配置される回動軸部材３２は、蓋体１０が容器本体１２に対して閉鎖されたとき、係止部材３２ｃの係合凸部３２ｃ１と回動部材３２ｂの係合凹部３２ｂ２とが平行になって完全に係合してしまうことなく、傾斜面どうしの接触状態を保持しており、且つ接触方向は回動部材３２ｂが蓋体１０を閉鎖方向に付勢する方向に設定されている。
【００３７】
このような接触状態を実現するには、予め回動部材３２ｂに於ける嵌合凸部３２ｂ１の外面の方向と係合凹部３２ｂ２の方向のなす角度を、蓋体１０が容器本体１２に対して閉鎖されたときに蓋体１０に閉まる方向の付勢力を発生し得る値に設定しておくか、蓋体１０及び容器本体１２に設けた穴１０ｂ，１２ｄの四角形の面どうしの角度を、前記付勢力を発生し得る値に設定しておくことで良い。
【００３８】
次に、コンパクト容器Ａを開閉する際の動作について図５，図６により説明する。図５に示すように、コンパクト容器Ａが開放している状態では、係止部材３２ｃの係合凸部３２ｃ１は回動部材３２ｂの係合凹部３２ｂ１から離脱している。このとき、係止部材３２ｃには付勢部材３２ｄの付勢力が作用し、係合凸部３２ｃ１の端面が回動部材３２ｂの端面に圧接している。このため、係止部材３２と回動部材３２ｂの間には、互いの摩擦係数と付勢部材３２ｄの付勢力とに応じた摩擦抵抗が作用している。更に、第１回動部２０ではスプリングピン２１と蓋体１０との間に軸受部材２２を介して、スプリングピン２１と容器本体１２との間に直接、スプリングピン２１による摩擦力が作用している。従って、これらの摩擦抵抗によって蓋体１０は容器本体１２に対する角度を保持している。
【００３９】
上記の如くコンパクト容器Ａを開放したときに、蓋体１０が容器本体１２に対して角度を保持することをフリーストップ機構という。コンパクト容器Ａを使用する際には、蓋体１０が開いたままの状態を保持することで容器本体１２の凹部１２ａに収容した中皿に収納された化粧料を取りやすく、且つ鏡１１を使用しやすいので、このようなフリーストップ機構があることは有利である。
【００４０】
コンパクト容器Ａを閉じる場合、図６に示すように、使用者が蓋体１０を容器本体１２に対して閉じる方向に回動させると、回動軸部材３２では、回動部材３２ｂが係止部材３２ｃに係合する方向へ回動する。蓋体１０が容器本体１２に対する閉鎖状態の近傍まで回動し、係合凹部３２ｂ２が係合凸部３２ｃ１と平行になるように接近したとき、係止部材３２ｃが付勢部材３２ｄの付勢力により回動部材３２ｂ方向へ付勢されているため、係合凸部３２ｃ１は係合凹部３２ｂ２の方向へ移動しようとし、蓋体１０が略閉鎖したとき、係合凸部３２ｃ１は先端側から係合凹部３２ｂ２に係合する。
【００４１】
そして、コンパクト容器Ａが閉じたとき、第２回動部３０では、係止部材３２ｃを介して伝達された付勢部材３２ｄの付勢力は、係合凸部３２ｃ１，係合凹部３２ｂ２の傾斜角度に応じた分力として回動部材３２ｂに作用し、該回動部材３２ｂ，軸受部材３１を介して蓋体１０を閉じる方向への付勢力として作用する。
【００４２】
更に、コンパクト容器Ａを開く場合、容器本体２０の前面に配設される凹部１２ｂに指を入れ、蓋体１０に第２回動部３０で発生している蓋体１０を閉鎖する方向の付勢力に抗して、該蓋体１０をヒンジＢを中心に開放方向に回動させる。蓋体１０の回動開始時には、蓋体１０の回動により得られたトルクが軸受部材３１から回動部材３２ｂへ伝達され、係合凹部３２ｂ２と係合凸部３２ｃ１との係合が外れて蓋体１０は円滑に回動するようになる。
【００４３】
尚、コンパクト容器Ａを開放する際に蓋体１０に付与すべき力は、ヒンジＢに設けた第１回動部２０で生じるスプリングピン２１と軸受部材２２，容器本体１２との間で発生する摩擦抵抗、及び第２径胴部３０で発生している蓋体１０を閉鎖する方向の付勢力である。これらの力は、従来のコンパクト容器に於けるフック機構を解除する際に必要な力と比較して充分に小さく、従って、コンパクト容器Ａの閉鎖性を向上させることが可能であり、且つ開放する際に大きな力を必要としない。
【産業上の利用可能性】
【００４４】
本発明は、蓋体を開放したときにフリーストップ性を発揮させて蓋体を開放位置で保持することが可能となり、且つ蓋体を閉鎖したときに該蓋体に対して閉鎖方向に付勢して閉鎖状態を保持することが可能となる。このため、コンパクト容器に適用したときに有利である。
【図面の簡単な説明】
【００４５】
【図１】コンパクト容器の全体構成を説明する組立図である。
【図２】コンパクト容器のヒンジに設けた一方の回動部の構成を説明する展開図である。
【図３】コンパクト容器のヒンジに設けた他方の回動部の構成を説明する一部の展開図である。
【図４】他方の回動部の構成を説明する展開図である。
【図５】他方の回動部の動作を説明する図である。
【図６】他方の回動部の他の動作状態を説明する図である。
【符号の説明】
【００４６】
Ａ                      コンパクト容器
Ｂ                      ヒンジ
１０                    蓋体
１０ａ                  ブラケット
１０ｂ，１２ｄ          穴
１１                    鏡
１２                    容器本体
１２ａ                  凹部
１２ｂ                  凹部
１２ｃ                  収容突起
２０                    第１回動部
２１                    スプリングピン
２２                    軸受部材
２２ａ                  頭部
２２ｂ                  伝達部
３０                    第２回動部
３１                    軸受部材
３１ａ                  嵌合凹部
３２                    回動軸部材
３２ａ                  カバー部材
３２ａ１                穴
３２ａ２                係止穴
３２ｂ                  回動部材
３２ｂ１                嵌合凸部
３２ｂ２                係合凹部
３２ｂ３                円筒部
３２ｃ                  係止部材
３２ｃ１                係合凸部
３２ｄ                  付勢部材
３２ｅ                  カバー底部材
３２ｅ１                付勢部材支持部
３２ｅ２                係止突起
【図１】
2006081576.tif 000003
【図２】
2006081576.tif 000004
【図３】
2006081576.tif 000005
【図４】
2006081576.tif 000006
【図５】
2006081576.tif 000007
【図６】
2006081576.tif 000008